(57)【要約】【課題】座面を使用者の要求に応じて前後に位置を調整することができる座椅子の座面前後移動装置を提供する。【解決手段】座椅子は座面、背もたれ、脚からなり、座面と背もたれは、連接フレームにより固定し、且つ、脚上端に複数の通孔を有する支承座を設置する。特に、座面と支承座間に滑動装置を設置し、滑動装置は、前滑動座、後滑動座、可動フレーム、及び、連接片からなり、前後滑動座下端は連接片により連結され、且つ、脚上端の支承座に螺固され、可動フレーム両側のトラックは前後滑動座の開口槽内に枢固され、前滑動座内に設けられた弾性素子の弾力によりボールがトラックを上に押し、可動フレーム両側のトラックが前後滑動座の開口槽内で前後に移動し、位置を調整したい時、可動フレームを加圧し、この時、ボールが圧力を受けて凹孔内に縮入し、トラックの定位孔は固定棒を嵌入し、可動フレームが移動できなくなる。【選択図】図２
0003138016.tif 000002
【実用新案登録請求の範囲】
【請求項１】
座椅子の座面前後移動装置であって、座椅子は座面、背もたれ、脚、からなり、前記座面と前記背もたれは連接フレームにより固定され、且つ、前記脚上端に複数の通孔を有する支承座を設置し、前記座面と前記支承座間に滑動装置を有し、前記滑動装置は前滑動装置、後滑動装置、可動フレーム、及び、連接片からなり、前記前滑動座は両端に開口槽を設置し、前記開口槽内に複数の凹孔を有し、前記凹孔はそれぞれ、弾性素子の頂推を受けるボール、及び、固定棒を嵌入し、前記後滑動座両端は開口槽を設置し、上端は複数の通孔と螺孔を有し、且つ、下端中間に螺孔を有し、前記可動フレーム両端の連結片上に複数の通孔を有し、ねじにより通孔から座面下端に穿過螺固され、両側のトラックは複数の定位孔と滑動孔を有し、滑動孔底端は弧状係合部を有し、前記連接片は長方形の板体で、両端が通孔を有し、上述のような素子により、前記ねじにより前記連接片両端を前記前滑動座と前記後滑動座底端の螺孔上に固定し、前記螺栓が前記前後滑動座を、前記脚上端支承座の相対位置に螺固し、前記可動フレーム両側のトラックを前記前後滑動座の開口槽内に置入し、ねじにより固定片を前記開口槽上端に螺固し、前記可動フレームを前記前後滑動座の開口槽内に枢固し、弾性素子の弾力により、ボールが前記トラックを上に押し上げ、前記可動フレームの両側のトラックが前記前後滑動座の開口槽内で前後に移動し、必要な位置まで調整される時、前記可動フレームを下圧し、この時、前記ボールが圧力を受けて、凹孔内に縮入し、前記トラックの定位孔は固定棒を嵌入し、前記可動フレームが移動できず、これにより、前記座面を使用者の要求に応じて位置を調整することができることを特徴とする座椅子の座面前後移動装置。
【考案の詳細な説明】
【技術分野】
【０００１】
本考案は座椅子の座面前後移動装置に関するものであって、特に、座面と支承座間に滑動装置を設置し、滑動装置は前滑動座、後滑動座、可動フレーム、及び、連接片からなる座椅子の座面前後移動装置に関するものである。
【背景技術】
【０００２】
生活において、椅子は最もよく常用する家具であり、一般の椅子は異なる使用場所と使用者に合わせるためと、快適感を提供するため、生産過程中に、座面、背もたれ、脚、等の座椅子パーツを人体工学に符合するように設置するが、この種の構造の座面は、固定されて調整不可能であり、使用者の要求に応じて調整できない。
【考案の開示】
【考案が解決しようとする課題】
【０００３】
本考案は、上述の問題を改善する座面前後移動装置を提供することを目的とする。
【課題を解決するための手段】
【０００４】
本考案の座面前後移動装置を提供し、座椅子は、座面、背もたれ、脚からなり、座面と背もたれは、連接フレームにより固定し、且つ、脚上端に複数の通孔を有する支承座を設置する。特に、座面と支承座間に滑動装置を設置し、滑動装置は、前滑動座、後滑動座、可動フレーム、及び、連接片からなり、使用者が位置を調整したい時、可動フレームを加圧し、可動フレームが移動できなくなり、これにより、この構造は座面を使用者の要求に応じて前後に位置を調整することができる。
【考案の効果】
【０００５】
本考案により、座面と背もたれの位置が調整できる座椅子構造が提供される。
【考案を実施するための最良の形態】
【０００６】
図１で示されるように、椅子１は座面１０、背もたれ１１、及び、脚２０からなり、特に、座面１０と背もたれ１１は連接フレーム１２により固定され、且つ、脚２０上端は複数の通孔２２を有する支承座２１を設置する。座面１０と支承座２１間に滑動装置１００を設置し、滑動装置１００は、前滑動座３０、後滑動座４０、可動フレーム５０、及び、連接片６０（図２、図３）からなる。
【０００７】
前滑動座３０両端に開口槽３１を設置し、開口槽３１内に複数の凹孔３２、３３を有し、凹孔３２、３３はそれぞれ、弾性素子３４の頂推を受けるボール３５、及び、固定棒３６を嵌入し、且つ、上端は複数の通孔３７、及び、螺孔３８を有し、底端中間に螺孔３９を有する。
【０００８】
後滑動座４０両端は開口槽４１を設置し、上端は複数の通孔４２と螺孔４３を有し、且つ、下端中間に螺孔４４を有する。
【０００９】
可動フレーム５０両端の連結片５１上に複数の通孔５２を有し、ねじ５３により通孔５２から座面１０下端に穿過螺固され、両側のトラック５４は複数の定位孔５５と滑動孔５６を有し、滑動孔５６底端は弧状係合部５７を有する。
【００１０】
連接片５１は長方形の板体で、両端が通孔６１を有する。
【００１１】
上述のように、まず、ねじ７０により連接片６０両端の通孔６１がそれぞれ前滑動座３０と後滑動座４０底端の螺孔３９、４４内に螺入し、螺栓７１が前滑動座３０と後滑動座４０の通孔３７、４２を経て、脚２０上端の支承座２１の相対する通孔２２に螺入し（図４）、可動フレーム５０両側のトラック５４が前後滑動座３０、４０の開口槽３１、４１内に置入し、ねじ７２により固定片８０を前後滑動座３０、４０の螺孔３８、４３上に螺固し、可動フレーム５０を前後滑動座３０、４０の開口槽３１、４１内に枢固すれば、滑動装置１００の組み立てが完成する。
【００１２】
前滑動座３０の開口槽３１内に弾性素子３４の頂推を受けるボール３５を有し、ボール３５はトラック５４の滑動孔５６の弧状係合部５７内に嵌合し、弾性素子３４の弾力により、ボール３５がトラック５４を上に押し上げ（図５）、この時、可動フレーム５０の両端のトラック５４が前後滑動座３０、４０の開口槽３１、４１内で前後に移動し（図７）、座面１０は可動フレーム５０上に固定されて移動し、希望する位置に調整された時、可動フレーム５０を下圧し、ボール３５が圧力を受けて凹孔３２内に縮入し、トラック５４の定位孔５５が固定棒３を嵌入し、固定棒３６により、可動フレーム５０が移動せず（図６）、可動フレーム５０は圧力を受けない時、弾性素子３４の弾力でボール３５がトラック５４を押し上げ、固定棒３６が定位孔５５を脱離し、これにより、座面１０が使用者の要求に応じて前後に位置を調整することができる。
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１４】
【図１】本考案の座椅子を示す図である。
【図２】本考案の立体分解図１である。
【図３】本考案の立体分解図２である。
【図４】本考案の立体分解図３である。
【図５】本考案の動作図１である。
【図６】本考案の動作図２である。
【図７】本考案の動作図３である。
【符号の説明】
【００１５】
１    座椅子
１０  座面
１１  背もたれ
１２  連接フレーム
２０  脚
２１  支承座
２２  通孔
３０  前滑動座
３１  開口槽
３２  凹孔
３３  凹孔
３４  弾性素子
３５  ボール
３６  固定棒
３７  通孔
３８  螺孔
３９  螺孔
４０  後滑動座
４１  開口槽
４２  通孔
４３  螺孔
４４  螺孔
５０  可動フレーム
５１  連結片
５２  通孔
５３  ねじ
５４  トラック
５５  定位孔
５６  滑動孔
５７  係合部
６０  連接片
６１  通孔
７０  ねじ
７１  螺栓
７２  ねじ
８０  固定片
１００  滑動装置
【図１】
0003138016.tif 000003
【図２】
0003138016.tif 000004
【図３】
0003138016.tif 000005
【図４】
0003138016.tif 000006
【図５】
0003138016.tif 000007
【図６】
0003138016.tif 000008
【図７】
0003138016.tif 000009
【手続補正書】
【提出日】平成19年10月17日(2007.10.17)
【手続補正１】
【補正対象書類名】実用新案登録請求の範囲
【補正対象項目名】請求項１
【補正方法】変更
【補正の内容】
【請求項１】
椅子の座面前後移動装置であって、前記椅子は、座面、背もたれ、及び脚からなり、前記座面と前記背もたれは連接フレームにより固定され、且つ、前記脚の上端に複数の通孔を有する支承座を設置し、前記座面と前記支承座間に滑動装置を有し、前記滑動装置は、前滑動座、後滑動座、可動フレーム、及び連接片からなり、前記前滑動座は両端に開口槽を設置し、前記開口槽内に複数の凹孔を有し、前記凹孔はそれぞれ、弾性素子の頂部に設置されるボール、及び固定棒を嵌入し、前記後滑動座の両端は開口槽を設置し、上端は複数の通孔と螺孔を有し、且つ、下端中間に螺孔を有し、前記可動フレームの両端の連結片上に複数の通孔を有し、ねじにより通孔から座面下端に固定され、両側のトラックは複数の定位孔と滑動孔を有し、前記滑動孔の底端は弧状係合部を有し、前記連接片は長方形の板体で、両端が通孔を有し、前記ねじにより前記連接片の両端を前記前滑動座と前記後滑動座の底端の螺孔上に固定し、前記螺栓が前記前後滑動座を、前記脚の上端の支承座の相対位置に螺固し、前記可動フレームの両側のトラックを前記前後滑動座の開口槽内に置入し、ねじにより固定片を前記開口槽上端に螺固し、前記可動フレームを前記前後滑動座の開口槽内に枢固し、弾性素子の弾力により、ボールが前記トラックを上に押し上げ、前記可動フレームの両側のトラックが前記前後滑動座の開口槽内で前後に移動し、必要な位置まで調整される時、前記可動フレームを下圧し、この時、前記ボールが圧力を受けて、凹孔内に縮入し、前記トラックの定位孔は固定棒を嵌入し、前記可動フレームが移動できず、これにより、前記座面を使用者の要求に応じて位置を調整することができることを特徴とする椅子の座面前後移動装置。
【手続補正３】
【補正対象書類名】明細書
【補正対象項目名】０００１
【補正方法】変更
【補正の内容】
【０００１】
本考案は椅子の座面前後移動装置に関するものであって、特に、座面と支承座間に滑動装置を設置し、滑動装置は前滑動座、後滑動座、可動フレーム、及び、連接片からなる椅子の座面前後移動装置に関するものである。
【手続補正４】
【補正対象書類名】明細書
【補正対象項目名】０００２
【補正方法】変更
【補正の内容】
【０００２】
生活において、椅子は最もよく常用する家具であり、一般の椅子は異なる使用場所と使用者に合わせるためと、快適感を提供するため、生産過程中に、座面、背もたれ、脚、等の椅子パーツを人体工学に符合するように設置するが、この種の構造の座面は、固定されて調整不可能であり、使用者の要求に応じて調整できない。
【手続補正５】
【補正対象書類名】明細書
【補正対象項目名】０００４
【補正方法】変更
【補正の内容】
【０００４】
本考案の座面前後移動装置を提供し、椅子は、座面、背もたれ、脚からなり、座面と背もたれは、連接フレームにより固定し、且つ、脚上端に複数の通孔を有する支承座を設置する。特に、座面と支承座間に滑動装置を設置し、滑動装置は、前滑動座、後滑動座、可動フレーム、及び、連接片からなり、使用者が位置を調整したい時、可動フレームを加圧し、可動フレームが移動できなくなり、これにより、この構造は座面を使用者の要求に応じて前後に位置を調整することができる。
【手続補正６】
【補正対象書類名】明細書
【補正対象項目名】０００５
【補正方法】変更
【補正の内容】
【０００５】
本考案により、座面と背もたれの位置が調整できる椅子構造が提供される。
【手続補正７】
【補正対象書類名】明細書
【補正対象項目名】０００７
【補正方法】変更
【補正の内容】
【０００７】
前滑動座３０両端に開口槽３１を設置し、開口槽３１内に複数の凹孔３２、３３を有し、凹孔３２、３３はそれぞれ、弾性素子３４の頂部に設置されるボール３５、及び、固定棒３６を嵌入し、且つ、上端は複数の通孔３７、及び、螺孔３８を有し、底端中間に螺孔３９を有する。
【手続補正８】
【補正対象書類名】明細書
【補正対象項目名】０００９
【補正方法】変更
【補正の内容】
【０００９】
可動フレーム５０両端の連結片５１上に複数の通孔５２を有し、ねじ５３により通孔５２から座面１０下端に固定され、両側のトラック５４は複数の定位孔５５と滑動孔５６を有し、滑動孔５６底端は弧状係合部５７を有する。
【手続補正９】
【補正対象書類名】明細書
【補正対象項目名】００１４
【補正方法】変更
【補正の内容】
【００１４】
【図１】本考案の椅子を示す図である。
【図２】本考案の立体分解図１である。
【図３】本考案の立体分解図２である。
【図４】本考案の立体分解図３である。
【図５】本考案の動作図１である。
【図６】本考案の動作図２である。
【図７】本考案の動作図３である。
【手続補正１０】
【補正対象書類名】明細書
【補正対象項目名】００１５
【補正方法】変更
【補正の内容】
【００１５】
１    椅子
１０  座面
１１  背もたれ
１２  連接フレーム
２０  脚
２１  支承座
２２  通孔
３０  前滑動座
３１  開口槽
３２  凹孔
３３  凹孔
３４  弾性素子
３５  ボール
３６  固定棒
３７  通孔
３８  螺孔
３９  螺孔
４０  後滑動座
４１  開口槽
４２  通孔
４３  螺孔
４４  螺孔
５０  可動フレーム
５１  連結片
５２  通孔
５３  ねじ
５４  トラック
５５  定位孔
５６  滑動孔
５７  係合部
６０  連接片
６１  通孔
７０  ねじ
７１  螺栓
７２  ねじ
８０  固定片
１００  滑動装置